(57)【特許請求の範囲】
【請求項１】
パチンコ遊技機の遊技球発射装置と球送り装置との間に配設されて両者の動作を連動させる押上部材を備えたパチンコ遊技機であって、
前記押上部材は、
第１支持軸と、
前記第１支持軸に揺動可能に支持されるとともに第１支持軸で支持される点から延出して前記球送り装置に連係する押上部と、
前記押上部に前記第１支持軸とは別の第２支持軸により揺動可能に連結されて、第２支持軸で連結される点から押上部と略直角方向に延出して前記遊技球発射装置と連係する作動部と、
前記作動部と前記押上部との間に介装され、作動部と押上部が互いに広がる方向に付勢力を付与して作動部と押上部を略直角位置にさせるコイルバネと、を備え、
前記コイルバネの付勢力の作用方向と逆の方向からの力が前記作動部に加えられた場合に、作動部は、前記第２支持軸を中心に、コイルバネの付勢力に抗して押上部に向かって屈曲するように取り付けられていることを特徴とするパチンコ遊技機。
【発明の詳細な説明】
【０００１】
【発明の属する技術分野】
本発明は、パチンコ遊技機の遊機球発射装置と球送り装置との間に配設されて両者の動作を連動させる押上部材を備えたパチンコ遊技機に関する。
【０００２】
【従来の技術】
従来、この種のパチンコ遊技機は、例えば特開平２ー２８０７８３号公報に示すように、整列路１から供給機構２により案内路３に遊技球Ｂを供給し、案内路３の出口をシャッタ部材４の上下動により開閉させて、遊技球を１個ずつ発射レール７下端の発射位置に供給していた。そして、シャツタ部材４の上下動は、軸部５ａに回動自在に支持され下方に延びた作動杆５ｂとシャッタ板４の下方に延びた押上杆５ｃとを設けた押上部材５を用い、作動杆５ｂを発射装置６の打球杆６ａに取り付けた引掛杆６ｂによって引っ張ることにより回動させ、それに伴って押上杆５ｃを上方に移動させてシャッタ板４を押し上げることにより行っていた（図８参照）。また、その他のパチンコ遊技機としては、同じ特開平２ー２８０７８３号公報に示されているように、供給機構の球受け部材８を前後方向に回動させて遊技球Ｂを１個ずつ発射位置に供給しており、この球受け部材の回動については、上記公報に示す押上部材を用いていた（図９参照）。
【０００３】
【発明が解決しようとする課題】
しかし、上記パチンコ遊技機は、いずれも引掛杆と押上部材の位置関係が非常に微妙であり、組立の際の両部材の位置調整が煩雑であるという問題がある。すなわち、両者を近づけ過ぎると押上杆が早く上がりすぎて、シャッタ板による出口の開閉のタイミングが早くなり、両者の間隔を大きくし過ぎると、逆にシャッタ板による出口の開閉のタイミングが遅くなり、いずれも遊技球の円滑な供給が妨げられるというものであった。また、打球杆が弾性部材に引っ張られて発射位置に戻る際に、引掛杆が作動杆を擦るため、打球杆の円滑な動作が妨げられ、遊技球の発射方向にバラツキを生じるという問題もある。
本発明は、上記した問題を解決しようとするもので、パチンコ遊技機の遊機球発射装置と球送り装置との間に配設されて両者の動作を連動させる押上部材に過剰な負荷が発生することを防止可能なパチンコ遊技機を提供することを目的とする。
【０００４】
【課題を解決するための手段】
上記目的を達成するために上記請求項１に係る発明の構成上の特徴は、パチンコ遊技機の遊技球発射装置と球送り装置との間に配設されて両者の動作を連動させる押上部材を備えたパチンコ遊技機であって、前記押上部材は、第１支持軸と、前記第１支持軸に揺動可能に支持されるとともに第１支持軸で支持される点から延出して前記球送り装置に連係する押上部と、前記押上部に前記第１支持軸とは別の第２支持軸により揺動可能に連結されて、第２支持軸で連結される点から押上部と略直角方向に延出して前記遊技球発射装置と連係する作動部と、前記作動部と前記押上部との間に介装され、作動部と押上部が互いに広がる方向に付勢力を付与して作動部と押上部を略直角位置にさせるコイルバネと、を備え、前記コイルバネの付勢力の作用方向と逆の方向からの力が前記作動部に加えられた場合に、作動部は、前記第２支持軸を中心に、コイルバネの付勢力に抗して押上部に向かって屈曲するように取り付けられていることにある。
【０００５】
【０００６】
【０００７】
【０００８】
【０００９】
【００１０】
【発明の実施の形態】
以下、本発明の一実施の形態を図面を用いて説明すると、図１は、同実施形態に係るパチンコ遊技機の本体１０の一部を、前面のガラス扉１１及び遊技球供給ユニット板２０を開放した状態で斜視図により示したものである。遊技球供給ユニット板２０の下側の本体１０前面板１２には、遊技球受皿１３と操作ハンドル１４が設けられている。
【００１１】
本体１０のガラス扉１１及び供給ユニット板２０を開放した内側には、遊技盤３０が設けられている。遊技盤３０は、木、樹脂又は、金属製の板で形成されており、周囲を除く部分に略円形のレール３１によって囲まれた遊技領域３２を設けている。遊技盤３０の左下端部には賞品球を排出する賞品球排出口３３が設けられている。また、遊技盤３０の下側には、金属製、樹脂製、木製等の基盤４０が設けられている。
【００１２】
基盤４０には、レール３１の左下端に遊技球排出筒４１を介して接続された遊技球発射レール４２が設けられている。発射レール４２は、図２に示すように、その下端部の発射位置に遊技球を保持するために略直角に曲げられた遊技球保持部４２ａを設けている。遊技球保持部４２ａは、また後述する打球杆５１の先端が遊技球に当たるように四角形の孔４２ａ１が設けられている。
【００１３】
発射装置５０は、図２により本体１０の背面側から示すと、基盤４０の下側の本体１０の前面板１２の背面に固定された支持棒５１ａに回動自在に取り付けられた弓形で先端に打球突起５１ｂを有する打球杆５１を設けている。打球杆５１の背面中間部分には、先端にローラ５１ｃ１を設けた変換棒５１ｃが垂直に取り付けられている。そして、打球杆５１は、図示しないコイルバネによって付勢され、図２に示す時計方向に回転力を付与されている。また、発射装置５０は、支持棒５１ａの上部に、カム部材５２を設けている。
【００１４】
カム部材５２は、前面板１２の背面の操作ハンドル１４の裏側位置にて、電動モータ（図示しない）の回転軸４４に垂直に固定されており、回転軸４４の回転に応じて矢印Ｅ方向に回転するようになっている。カム部材５２は、変換棒５１ｃのローラ５１ｃ１と接触し、回転軸４４の回転に応じて、打球杆５１を図２に示す反時計方向へ強制的に回動させ、その山位置５２ａを過ぎたときローラ５１ｃ１との係合を解除し、打球杆５１をバネの弾性により高速で発射位置に戻し、遊技球を遊技領域３２に向けて発射させる。
【００１５】
そして、カム部材５２の前面には、図３に示すように、扇形カム部材５３が回転軸４４を中心として一体的に設けられている。回転軸４４は、前端が扇形カム部材５３と略同一位置にされている。基盤４０の回転軸４４の上部位置には、支持軸４５が固定されており、支持軸４５には、図２及び図３に示すように、回動自在に押上部材５４が取り付けられている。
【００１６】
押上部材５４は、図４（ａ）、（ｂ）の正面図及び右側面図により示すように、支持軸４５に挿嵌される貫通孔５４ａ１を有する支持部５４ａを設けており、その前面側には右方向に略水平に伸びた押上部５４ｂを設けている。押上部５４ｂの右端には、前方に突出した押上端部５４ｂ１を設けている。そして、支持部５４ａの背面側には、押上部材５４の時計方向への回動を制限するブラケット５４ｃを設けている。ブラケット５４ｃの下部は、半円板状の突起部５４ｃ１になっており、突起部５４ｃ１の中心には、円筒形支持部５４ｃ２が水平に設けられている。この円筒形突起５４ｃ２の中心に設けた軸５４ｄには、平板状の作動部５４ｅが回動自在に取り付けられている。そして、円筒形突起５４ｃ２にはコイルバネ５４ｆが巻装されており、コイルバネ５４ｆの上端はブラケット５４ｃの右側部に係止され、またコイルバネ５４ｆの下端は作動部５４ｅの右側面に係止されている。押上部材５４は、作動部５４ｅが扇形カム部材５３に接触し、扇形カム部材５３の回転により、支持軸４５を中心として揺動する。
【００１７】
そして、押上部材５４は、扇形カム部材５３におされて作動部５４ｅの変位が大きくなりすぎ、押上部５４ｂの変位が制限される場合には、作動部５４ｅが矢印Ｇ方向に自在に屈曲するようになっており、過剰な負荷の発生を防止している。そのため、扇形カム部材５３や、後述するシャッタ部材等に過剰な負荷を加えることがなく、各部材の作動を妨げたり各部材を破損させたりすることがない。なお、本実施形態においては、カム部材５２と扇形カム部材５３は、一体で形成されているが、これらを別個に形成するようにしてもよい。
【００１８】
遊技球供給ユニット板２０は、図１に示すように、その前面の左側に遊技球貯留皿２１を設けており、右側に遊技球の供給機構６０を設けている。遊技球貯留皿２１の左端には後方に向けて賞品球供給口２１ａが設けられている。賞品球供給口２１ａは、遊技盤３０の下端に設けられた賞品球排出口３３に連結されており、賞品球供給機構（図示しない）から供給された賞品球を、賞品球排出口３３を介して遊技球貯留皿２１に導くようになっている。遊技球貯留皿２１の右側には遊技球供給機構６０に向けて下方に傾斜した整列路２２が設けられている。整列路２２の下端は、図５に示すように、段差が設けられており、その下側には開閉板２３が設けられている。開閉板２３の下方には、球抜き通路２４の開口部２４ａが設けられている。球抜き通路２４は、基盤４０に設けた遊技球排出筒４１の開口４１ａに連結される。そして、開閉板２３は、その左端が球抜き通路２４の上端に一端が固定されたコイルバネ２３ａの右端に接続され、通常はコイルバネ２３ａの右方向への付勢力により球抜き通路２４を閉鎖している。球抜き通路２４の開放は、手動又は電動により開閉板２３を図５（ａ）に示す矢印Ｓ方向に移動させることにより行うことが出来る。
【００１９】
開閉板２３の右側には、供給機構６０が設けられている。供給機構６０は、図５に示すように、球抜き通路２４の近接位置にて遊技球供給ユニット板２０に固定された支持軸６１ａに揺動自在に支持された球受け部材６１を設け、球受け部材６１のほぼ直上部に遊技球供給ユニット板２０に固定された支持軸６２ａに揺動自在に支持された球止め部材６２を備えている。
【００２０】
球受け部材６１は、略Ｕ字形の凹部６１ｂが設けられており、整列路２２側の側部６１ｃの上端が、開閉板２３上に整列された遊技球の凹部６１ｂ内への進入を止める作用を果たす。側部６１ｃの下部に支持軸６１ａが配置されている。球受け部材６１は、整列路２２の反対側の側部６１ｄの下端に、後方に向けて変位受け軸６１ｅが設けられている。
【００２１】
球止め部材６２は、略逆Ｕ字形を呈し、その略中間部分に支持軸６２ａに挿入される中心部６２ｂを設けており、中心部６２ｂには下方に向けて係止爪６２ｃを設けている。球止め部材６２の整列路側の側部には短い突起部６２ｄが設けられており、反対側の側部には幅の広いおもり部６２ｅが設けられており、おもり部６２ｅの下端は、球受け部材６１の側部６１ｄ上端に当接している。
【００２２】
そして、玉受け部材６１と玉止め部材６２は、図５（ａ）に示すように、通常自重によって矢印Ｋの方向に回動した状態にあり、この状態では、側部６１ｃ上端と球止め部材６２の中心部６２ｂに設けた係止爪６２ｃとの間隔が遊技球の直径より小さくなっていることにより、整列路２２の終端に位置する開閉板２３上の第１番目の遊技球Ｂ１を凹部６１ｂに落下させないように止めている。また、後述するシャッタ板６４により球受け部材６１の変位受け軸６１ｅが押されて、玉受け部材６１と玉止め部材６２が、図５（ｂ）に示す矢印Ｋの反対方向に回動すると、側部６１ｃが下方に移動し、側部６１ｃの上端と係止爪６２ｃとの間隔が遊技球の直径より大きくなり、整列路２２の終端に位置する第１番目の遊技球Ｂ１を凹部６１ｂ内に落下させる。そして、球止め部材６２の突起部６２ｄの下降により、整列路の第１番目の遊技球Ｂ１と第２番目の遊技球Ｂ２の間に突起部６２ｄが介在して、遊技球Ｂ２の移動を止めている。
【００２３】
そして、球受け部材６１の背面側は、図示しない遮蔽板によって塞がれており、遮蔽板の凹部６１ｂとの対向位置にのみ遊技球通過口が設けられており、遊技球通過口に続いて遊技球通過路６３が設けられている。遊技球通路６３の出口側は、発射レール４２の下端近傍位置に設けられて、遊技球通路６３からの遊技球が円滑に発射レール４２の発射位置に供給されるようになっている。
【００２４】
遊技球通過路６３と発射レール４２との間には、遊技球供給ユニット板２０に固定された支持軸６４ａに回動自在に支持された長尺状のシャッタ板６４が設けられている。シャッタ板６４は、上記した押上部材５４の押上部５４ｂに下方から支持され、押上部５４ｂの上下動に応じて、支持軸６４ａを中心として回動し、遊技球通過路６３の開口６３ａを開閉する。また、シャッタ板６４は、開口６３ａの近傍部分にて前方に向けた押上片６４ｂを設けている。押上片６４ｂは、球受け部材６１の変位受け軸６１ｅの下方に位置し、シャッタ板６４の回動に伴って、変位受け軸６１ｅを上下動させるようになっている。
【００２５】
つぎに、以上のように構成した実施形態の動作について発射装置を前面側から示した図６及び図７を用いて説明する。貯留皿２１に遊技球を収容し、操作ハンドル１４を操作すると、図示しない電動モータが回転を開始し、これに伴ってカム部材５２が矢印Ｅ方向に回動する。最初の状態では、カム部材５２は、図６（ａ）に示すように、打球杆５１に係合しておらず、扇形カム部材５３も作動部５４ｅを押していないので、押上部材５４の押上部５４ｂも略水平位置にある。このため、シャッタ板６４も先端が下方に下がっており、遊技球通路６３の開口６３ａは開放されている。そして、上記したように球受け部材６１と球止め部材６２も、図５に示すように、矢印Ｋ方向に傾いており、整列路２２の遊技球は、側部６１ｃ上端と係止片６２ｃによって凹部６１ｂへの落下が阻止されている。したがって、発射位置には遊技球が供給されていない。
【００２６】
そして、カム部材５２の回動により、図６（ｂ）に示すように、打球杆５１が押されて図示時計方向に移動すると共に扇形カム部材５３に押されて作動部５４ｅが矢印Ｆ方向に揺動する。これに伴って、押上部５４ｂがシャッタ板６４を上方に押し上げ、シャッタ板６４は開口６３ａを少し閉じると共に、球受け部材６１を矢印Ｋと反対方向に回動させる。その結果、上記したように、整列路２２の第１番目の遊技球Ｂ１が凹部６１ｂに落下し、遊技球通過路６３に流れ込むが、この時点ではシャッタ板６４が開口６３ａが少し閉じられているので、遊技球は発射レール４２には供給されない。
【００２７】
さらにカム部材５２が回動すると、図７に示すように、打球杆５１はカム部材５２の山位置５２ａと係合し、発射準備位置に移動させられる。また、押上部材５４も扇形カム部材５３によって最大限に押され、その押上部５４ｂもシャッタ板６４を最上位置にまで押し上げる。これにより、開口６３ａはシャッタ板６４により完全に閉鎖される。
【００２８】
そして、さらにカム部材５２が回動して打球杆５１との係合が解除されると、打球杆５１はコイルバネの付勢力により回動して瞬時に発射位置に戻される。このとき、発射位置には遊技球が供給されていないので、初回は遊技球の遊技盤面への供給は行われない。一方、押上部材５４の扇形カム部材５３との係合も解除され、押上部５４ｂも下降し、シャッタ板６４も図６（ａ）の位置に戻され、開口６３ａが開放される。これにより、遊技球通過路６３の遊技球が、発射レール４２に円滑に入り、発射位置に収められる。以上の動作の繰り返しにより、遊技球は円滑に遊技盤面に供給される。
【００２９】
以上に示したように、押上部材５４の動作を制御する扇形カム部材５３は、打球杆５１と係合するカム部材５２と一体に形成され、回転軸４４に同軸的に組み付けられるので、組み立て時に位置調整を行う必要がない。従って、発射装置部分の組み立てを非常に容易に行うことが出来る。押上部材５４や扇形カム部材５３の組み立て位置が常に一定しているので、打球杆５１の発射動作と遊技球の供給部分の動作を常に安定に行わせることが出来る。また、扇形カム部材５３が打球杆５１と接触することがないので、打球杆５１の動作が扇形カム部材５３により悪影響を受けることがなく、常に安定した打球動作が行われる。
【００３０】
また、押上部材５４の作動部５４ｅが屈曲自在に形成されていることにより、押上部５４ｂがシャッタ板６４に当接した後、作動部５４ｅが扇形カム部材５３によってさらに押されても自在に屈曲するようになっているので、シャッタ板６４に無用な負荷が加わり、シャッタ板６４の正常な動作を妨げたり、シャッタ板６４自体に損傷を与えることもない。同様に、扇形カム部材５３にも無用な負荷が加わることがないので、回転軸４４の回転が妨げられることもない。
【００３１】
なお、上記実施形態においては、遊技球供給機構として、球受け部材と球止め部材と遊技球通過路とシャッタ板等を設けた形式のパチンコ遊技機について説明しているが、これに限らず、図９に示すように、球受部材を前後に回動させて遊技球を発射位置に供給する形式のパチンコ遊技機に本発明を適用してもよい。
【００３２】
【発明の効果】
上記請求項１の発明においては、遊技球発射装置と球送り装置との間に配設されて両者の動作を連動させる押上部材において、コイルバネの付勢力の作用方向と逆の方向からの力が前記作動部に加えられた場合に、作動部は、第２支持軸を中心に、コイルバネの付勢力に抗して押上部に向かって屈曲するように取り付けられているので、作動部の変位が大きくなって押上部の変位が制限される場合に、作動部がコイルバネの付勢力に抗して押上部に向かって屈曲することとなり、これにより過剰な負荷が押上部材に発生することを防止することが可能となる。
【００３３】
【００３４】
【図面の簡単な説明】
【図１】  本発明の一実施形態に係るパチンコ遊技機の一部を概略的に示す斜視図である。
【図２】  同パチンコ遊技機の遊技球供給機構及び発射装置を背面側より詳細に示す斜視図である。
【図３】  同発射装置及び押上部材の部分を詳細に示す正面図である。
【図４】  押上部材を詳細に示す正面図及び右側面図である。
【図５】  遊技球供給機構を詳細に示す一部破断面図である。
【図６】  同発射装置及び押上部材の動作状態の一部を説明する説明図である。
【図７】  同発射装置及び押上部材の動作状態の一部を説明する説明図である。
【図８】  従来例に係る遊技球供給機構及び発射装置の動作状態をを背面側より詳細に示す斜視図である。
【図９】  他の従来例に係る遊技球供給機構を背面側より詳細に示す斜視図である。
【符号の説明】
１０…本体、２０…遊技球供給ユニット板、２１…遊技球貯留皿、２２…整列路、３０…遊技盤、４０…基盤、４２…発射レール、５０…発射装置、５１…打球杆、５２…カム部材、５３…扇形カム部材、５４…押上部材、５４ｂ…押上部、５４ｅ…作動部、６０…供給機構、６１…球受け部材、６２…球止め部材、６３…遊技球通過路、６３ａ…開口、６４…シャッタ板。
【図１】
0003679916.tif 000002
【図２】
0003679916.tif 000003
【図３】
0003679916.tif 000004
【図４】
0003679916.tif 000005
【図５】
0003679916.tif 000006
【図６】
0003679916.tif 000007
【図７】
0003679916.tif 000008
【図８】
0003679916.tif 000009
【図９】
0003679916.tif 000010